(57)【要約】【課題】天板の下向き回動時には、ゆっくりと水平姿勢にすることができる一方、天板が上向き回動する時には、軽い力で天板を持ち上げる構成をコンパクトにする。【解決手段】移動体の側面に固定した収納ケース１６内に、支軸２４を介してリンク杆５の他端部とカム体１５とを回動可能に枢支させ、収納ケース１６の凹所内に配置した受け体２０をカム体のカム面に当接し、圧縮バネ２１ａにてカム体を常時押圧する。リンク杆５の一側端部は天板の側面に枢着して、天板の起伏回動に連動して前記移動体が前後動するように連結する。【選択図】  図５
2005000302.tif 000002
【特許請求の範囲】
【請求項１】
机本体に対して略垂直状態の閉止姿勢と略水平状態の開き姿勢となるように基端部周りに起伏回動可能に設けた天板と、この天板の下方で水平方向に前後動可能に設けた移動体とを備えた机装置において、
前記天板の起伏回動に連動して前記移動体が前後動するように、一端部を前記天板の側面部に回動可能に枢支し、他端部を前記移動体の側面に回動可能に枢着したリンク杆を備え、
前記リンク杆の他端部にはカム体を備える一方、
前記移動体の側面には、前記カム体のカム面に当接して押圧する付勢手段を備えたことを特徴とする机装置。
【請求項２】
机本体に対して略垂直状態の閉止姿勢と略水平状態の開き姿勢となるように基端部周りに起伏回動可能に設けた天板と、この天板の下方で水平方向に前後動可能に設けた移動体とを備えた机装置において、
前記天板の起伏回動に連動して前記移動体が前後動するように、一端部を前記天板の側面部に回動可能に枢支し、他端部を前記移動体の側面に回動可能に枢着したリンク杆を備え、
前記リンク杆の他端部にはカム体を備える一方、
前記移動体の側面には、前記カム体のカム面に当接して移動可能な受け体と、前記カム体に受け体を弾力付勢するための付勢手段とを備えたことを特徴とするに記載の机装置。
【請求項３】
前記受け体は、前記移動体の前後動方向に沿って移動可能に構成され、前記付勢手段は前記受け体を挟んでカム体を押圧するように配置されていることを特徴とする請求項２に記載の机装置。
【請求項４】
前記移動体の側面に収納ケースを固定し、該収納ケース内に前記付勢手段と受け体とを備え、収納ケースに配置した支軸に前記リンク杆の他端部とカム体とを回動可能に枢支させたことを特徴とする請求項１乃至３のいずれかに記載の机装置。
【請求項５】
前記収納ケースの幅内に前記リンク杆の他端部及びカム体とを配置したことを特徴とする請求項４に記載の机装置。
【請求項６】
前記カム体は収納ケースの幅内に配置され、前記リンク杆は前記収納ケースの一側外面に配置したことを特徴とする請求項４に記載の机装置。
【請求項７】
前記収納ケースの広幅一側面にカバー板部を設け、前記リンク杆の他端部及びカム体の周囲を移動体の側面と前記カバー板部との間に位置させて覆うように構成したことを特徴とする請求項４乃至６のいずれかに記載の机装置。
【発明の詳細な説明】
【０００１】
【発明の属する技術分野】
本発明は、天板を、使用時に略水平姿勢となり、非使用時には略垂直の起立姿勢となるように、机本体に対して蝶番を介して起伏回動可能に構成した机装置に関するものである。
【０００２】
【従来の技術】
従来、この種の机装置は、机本体に対して蝶番を介して基端部周りに起伏（上下）回動可能に設けた天板と、この天板の下方に水平方向に進退動可能に設けた抽斗等の移動体と、前記天板の起伏回動に伴って前記移動体が進退動するように連動させるリンク杆とを備えている。
【０００３】
使用時には、略垂直状等に起立した状態（以下、起立姿勢という）の天板を下向き回動させて、略水平な状態（以下、水平姿勢という）とする。このとき、前記天板の下向き回動に連動して移動体が前進動し、この移動体の上面で前記天板を支持して略水平姿勢が保持される。
【０００４】
逆に非使用時には、水平姿勢の天板を上向き回動させて、起立姿勢で机本体内に収納する。このとき、移動体は前記天板の上向き回動に連動して後退動し、前記机本体内に収納される。
【０００５】
しかし、前記構成の机装置では、天板を下向き回動させる際に手を添えておかないと、天板は自重により加速して移動体の上面に勢いよく衝突するため、その衝突時に大きな音が発生したり、天板や移動体が傷ついたり、不注意で天板と移動体との間に指を挟むおそれもあった。
【０００６】
このような天板の急激な前倒れ（下向き回動）を防止する構成として、特許文献１には、移動体の側部に回転ダンパを設け、この移動体側の回転ダンパと天板の側部とをリンク杆を介して連動連結することが開示されている。
【０００７】
【特許文献１】
特許第３２２５１８６号公報
【０００８】
【発明が解決しようとする課題】
しかし、前記特許文献１のように回転ダンパを利用する場合、天板の水平姿勢への下向き回動方向の動作時にのみダンパー作用（回動に対する抵抗作用）を有し、天板を水平から起立方向への回動時には、何らの作用も奏しないのであった。
【０００９】
従って、前記天板を上向きに回動しようとするとき、使用者の手には当該天板の重量がそのままかかり、重たく感じるという問題があった。
【００１０】
本発明は、前記の問題を解消した机装置を提供することを目的とするものである。
【００１１】
【課題を解決するための手段】
この目的を解決するため、請求項１に記載のの発明の机装置は、机本体に対して略垂直状態の閉止姿勢と略水平状態の開き姿勢となるように基端部周りに起伏回動可能に設けた天板と、この天板の下方で水平方向に前後動可能に設けた移動体とを備えた机装置において、前記天板の起伏回動に連動して前記移動体が前後動するように、一端部を前記天板の側面部に回動可能に枢支し、他端部を前記移動体の側面に回動可能に枢着したリンク杆を備え、前記リンク杆の他端部にはカム体を備える一方、前記移動体の側面には、前記カム体のカム面に当接して押圧する付勢手段を備えたものである。
【００１２】
請求項２に記載のの発明の机装置は、机本体に対して略垂直状態の閉止姿勢と略水平状態の開き姿勢となるように基端部周りに起伏回動可能に設けた天板と、この天板の下方で水平方向に前後動可能に設けた移動体とを備えた机装置において、前記天板の起伏回動に連動して前記移動体が前後動するように、一端部を前記天板の側面部に回動可能に枢支し、他端部を前記移動体の側面に回動可能に枢着したリンク杆を備え、前記リンク杆の他端部にはカム体を備える一方、前記移動体の側面には、前記カム体のカム面に当接して移動可能な受け体と、前記カム体に受け体を弾力付勢するための付勢手段とを備えたものである。
【００１３】
請求項３に記載の発明は、請求項２に記載の机装置において、前記受け体は、前記移動体の前後動方向に沿って移動可能に構成され、前記付勢手段は前記受け体を挟んでカム体を押圧するように配置されているものである。
【００１４】
請求項４に記載の発明は、請求項１乃至３のいずれかに記載の机装置において、前記移動体の側面に収納ケースを固定し、該収納ケース内に前記付勢手段と受け体とを備え、収納ケースに配置した支軸に前記リンク杆の他端部とカム体とを回動可能に枢支させたものである。
【００１５】
請求項５に記載の発明は、請求項４に記載の机装置において、前記収納ケースの幅内に前記リンク杆の他端部及びカム体とを配置したものである。
【００１６】
請求項６に記載の発明は、請求項４に記載の机装置において、前記カム体は収納ケースの幅内に配置され、前記リンク杆は前記収納ケースの一側外面に配置したものである。
【００１７】
請求項７に記載の発明は、請求項４乃至６のいずれかに記載の机装置において、前記収納ケースの広幅一側面にカバー板部を設け、前記リンク杆の他端部及びカム体の周囲を移動体の側面と前記カバー板部との間に位置させて覆うように構成したものである。
【００１８】
【発明の実施の形態】
次に、本発明を具体化した実施形態を、図面に基づいて説明する。図１〜図８は本発明に係る机装置の第１実施形態であり、図１は机装置の概略斜視図、図２及び図３は天板と移動体との連動関係を示す要部拡大側断面図である。
【００１９】
図１〜図３に示すように、第１実施形態の机装置は、前面を開口した略箱型の机本体１における左右両側板２，２間の前面開口部のうち上部を塞ぐ上下（起伏）回動可能な天板３と、机天板１内のうち天板３の下方に前後移動可能に設けた抽斗等の移動体４と、天板３の側面部と移動体４の側面部との間に跨るように配置した側面視逆「く」の字状の左右一対のリンク杆５，５とを備えている。また、机本体１のうち移動体４より下方右側には袖抽斗６が配置されている。
【００２０】
略矩形板状の天板３は、その基端部が机本体１内の上下中途高さ部位に設けた固定棚板７の前縁部に蝶番８を介して連結されており（図２及び図３参照）、この天板３は、机本体１の前面開口部のうち上部を塞ぐように略垂直状の起立姿勢（図１の実線状態参照）から略水平姿勢（図１の二点鎖線状態参照）までの範囲で、すなわち天板３の基端部を中心に略９０°の範囲で上下（起伏）回動するように構成されている。
【００２１】
移動体４は、図６に示すように、略矩形板状の天枠体９ａと、この天枠体９ａの下面のうち左右両側端に下向き突設した左右両側枠体９ｂ（図６で右側のみ示す）と、これら左右両側枠体９ｂの内面間に設けたサスペンションレール１０を介して前後方向に出し入れ可能に設けた鏡板１１ａ付き抽斗１１とを備えている。
【００２２】
各側枠体１０の外面には、前後長手で断面略コ字状のガイドレール１２が固定されている一方、机本体１における左右両側板２，２の内面には、複数個の転動コロ１４（第１実施形態では２つずつ）が取付けられている。各ガイドレール１２のコ字状溝内に、これに対応する各転動コロ１４を嵌め込むことにより、移動体４は机本体１に対して前後移動可能に支持されている。抽斗１１は、天枠体９ａ及び左右側枠体９ｂと共に一体的に前後移動可能であるが、これら枠体９ａ，９ｂとは別個に前後方向に出し入れすることもできる。
【００２３】
なお、移動体４を前後移動可能とする構成は、前述の形態に限らず、例えば左右両側板２，２の内面のうち固定棚板７の下方に一対の支持枠を固定し、これら各支持枠とこれに対応するガイドレール１２との間に、リテーナで自転可能に保持された多数個のボールを一列状に介挿して、ガイドレール１２ひいては移動体４を軽い力で前後移動可能とするサスペンション手段であってもよい。
【００２４】
前記各リンク杆５の他端部（移動体４側）にはカム体１５を備える一方、前記移動体４の外側面には、前記カム体１５のカム面に当接して移動可能な受け体２０と、前記カム体１５に対して受け体２０を弾力付勢するための付勢手段２１とを備えたものである。第１実施形態では、ポリアセタール樹脂等の合成樹脂製の収納ケース１６を前記移動体４の外側面にビス止めし、該収納ケース１６内に、リンク杆５の他端部、カム体１５、前記受け体２０及び付勢手段２１が配置されている。
【００２５】
左右一対のリンク杆５は、天板３の上下回動に連動させて移動体４が前後移動するように関連付けるためのものである。第１実施形態における一対のリンク杆５、カム体１５、収納ケース１６、受け体２０及び付勢手段２１は、天板３及び移動体４の左右に対してそれぞれ左右対称状に設けられており、いずれも基本的に同じ構成である。そこで、図２〜図８を参照しながら、天板３及び移動体４の右側に配置したものを例として以下に説明する。
【００２６】
リンク杆５は略く字状の金属製等の板状のものであり、その一端部は、天板３の側面のうち基端寄りの部位にねじ止めした取付け金具２２に、枢支軸２３で回動可能に枢着されている一方、当該リンク杆５の他端部は、移動体４としての右側枠体９ｂのうち常に蝶番８よりも前寄りとなる部位に配置された支軸２４に対して回動可能に枢支されている。そして、この支軸２４は、前記右側枠体９ｂの側面にビス２５止めされた収納ケース１６の幅方向（天板３の幅方向と平行な方向）に貫通するように固定されている（図４（ｂ）参照）。
【００２７】
収納ケース１６は図４、図５及び図７に示すごとく、側面視で略矩形状に一体成形されている。収納ケース１６の広幅面のうちの一方（側枠体９ｂの側面に対峙する面）には、前記受け体２０と付勢手段２１としての一対の圧縮バネ２１ａを収納するための横長の凹所２６が形成されている。この凹所２６内には、前記一対の圧縮バネ２１ａの配置位置がずれないようにするための仕切り壁２７が適宜長さで形成されている。前記凹所２６に隣接した位置には、前記リンク杆５の他端部及び該他端部にビス１７等にて固定されたカム体１５を前記凹所２６内に臨むことができる連通部２８が前記収納ケース１６の幅内に形成されている。さらに、前記連通部２８を跨いで前記支軸２４が嵌まる貫通孔２９が前記収納ケース１６の幅方向に穿設されている。前記収納ケース１６の広幅面のうちの他方（側板３の内面に対峙する面、前記凹所２６の底側となる面）には、前記リンク杆５の他端部及びカム体１５を覆うための平板状のカバー板部３０が一体的に形成されている。
【００２８】
前記凹所２６の表面側には広い面積で段部３１と突起３２とが形成されており、前記凹所２６を塞ぐための蓋板３３の周囲縁は前記段部３１に嵌まり、蓋板３３の嵌合孔３３ａは前記突起３２に嵌まるように構成されている。また、蓋板３３の別の取付け孔３３ｂと収納ケース１６に穿設した取付け孔３４とを介して前記ビス２５にて収納ケース１６ごと側枠体９ｂの側面に固定する。なお、前記蓋板３３の一側部を屈曲させた支持片３３ｃにて前記一対の圧縮バネ２１ａの他端を支持するように構成しても良い（図７参照）。
【００２９】
前記凹所２６内に配置された受け体２０には、前記板状のカム体１５の周面（カム面１５ａ）に対峙する平板状の受け部２０ａと、該受け部２０ａから突設して前記各圧縮バネ２１ａの内径部に嵌まって位置決めするガイド軸部２０ｂとを備え、前記受け部２０ａの片面には、摩擦係数の小さい材料からなる当接部材３５を埋設し、この当接部材３５にカム体１５の周面（カム面１５ａ）を当接させるように構成している。この場合、天板３が起立姿勢にあってリンク杆５が起立しているとき（図５の二点鎖線及び図２参照）、カム体１５の回動中心（支軸２４の軸心）からカム面１５ａと前記当接部材３５との当接面までの距離は短い。従って、受け体２０は支軸２４に接近する方向に前進し、これにつれて付勢手段２１によるカム体１５への押圧力が少ないように設定されている。他方、天板３が水平姿勢にあってリンク杆５が略横長状に配置されているときには（図５の実線及び図３参照）、前記カム体１５の回動中心からカム面１５ａと前記当接部材３５との当接面までの距離が長い。従って、受け体２０は支軸２４から離れる方向に後退し、これにつれて付勢手段２１によるカム体１５への押圧力が大きくなるように設定されている。
【００３０】
なお、前記収納ケース１６の幅寸法Ｗ１は、机本体１の側板２と移動体４の側枠体９ｂとの間の左右巾Ｗ２より若干狭く、その巾Ｗ２内に収納ケース１６が納まった状態で、前後長手の隙間空間に配置されている。また、リンク杆５の内側面も側枠体９ｂ及び天板３の側面に近接した位置になるように配置されている（図６参照）。そして、収納ケース１６における広幅一側面のカバー板部３０と移動体４の側面との間に、前記リンク杆５の他端部及びカム体１５の周囲を位置させて前記カバー板３０にて覆うように構成されている（図２、図３及び図６参照）。
【００３１】
次に前記構成による作用について説明すると、起立姿勢の天板３の前面側に位置する把手４０（図１参照）を前方に引いて、当該天板３を下向き回動させるにつれて、一対のリンク杆５の他端部側が水平方向に近くなるように下向き回動し、且つこのリンク杆５を介して移動体４を前向きに押し出す（図３参照）。
【００３２】
このリンク杆５が図２で時計回り方向（図５で反時計回り）に回動するにつれて、当該リンク杆５の他端部と一体的に回動するカム体１５のカム面１５ａが受け体２０を前記付勢手段２１（圧縮バネ２１ａ）の付勢力に抗して後退するように押圧する。そしてこの付勢手段２１の付勢力は、リンク杆５の他端部が略水平方向に回動する角度が大きい程（天板３が水平姿勢に近づく程）大きくなるのである。従って、天板３の下向き回動速度は、自重による加速が抑えられて、水平姿勢に近付くにつれて遅くなる。これにより、天板３は、ゆっくりと移動体４の天枠体９ａに当って載置される（図１の二点鎖線状態及び図３参照）結果、衝撃音も極めて少なく、天板や移動体が傷つかない。また、移動体４が前向きに押し出される速度も段々と遅くなる。
【００３３】
なお、天枠体９ａの上面のうち前寄り部位には、ゴム等の軟質弾性材製の緩衝体４１が接着剤等で固定されている。リンク杆５は天板３と移動体４との左右いずれか一側にのみ配置してもよいが、前述のように、天板３と移動体４との左右両側に配置することが好ましい。
【００３４】
前記とは反対に、水平姿勢の天板３を上向き回動させるにつれて一対のリンク杆５の他端部側が起立するように上向き回動し、且つこのリンク杆５を介して移動体４を後方に引き込む（図３参照）。
【００３５】
このリンク杆５が図３で反時計回り方向（図５で時計回り）に回動するにつれて、当該リンク杆５の他端部と一体的に回動するカム体１５のカム面１５ａが受け体２０の当接部材３５に当接する箇所から前記支軸２４の軸心までの距離が短くなる。従って、前記付勢手段２１にて押圧される受け体２０がカム体１５を押圧するように前進し、それにつれて受け体２０ひいてはカム体１５を押圧する前記付勢手段２１（圧縮バネ２１ａ）の付勢力は徐々に低下する。
【００３６】
従って、水平姿勢の天板３を上向き回動させる開始区間で、前記リンク杆５を起立方向に付勢力が作用することになり、軽い力で天板３を持ち揚げできるのである。
【００３７】
そして、天板３が起立姿勢の状態では、その天板３の側面と移動体４の側面とにの間に略起立状態にあるリンク杆５全体及び収納ケース１６は、机本体１の側面視において（図２参照）、側板２の前縁より後方に位置しているから、リンク杆５及び収納ケース１６の外面は当該側板２にて覆われており、リンク杆５の一端部（上部）は側板２の内面と天板３の側面との狭い隙間内にあり、収納ケース１６も側板２の内面と移動体４の側枠体９ｂの外面との間に位置し、且つ収納ケース１６の上側から突出するリンク杆５の他端部も移動体４における天枠体９ａの側面に極めて接近した位置にあって、子供の小さい指が入り込む隙間がほとんど存在しないから、極めて安全である。
【００３８】
そして、天板３が起立姿勢から下向き回動する途次においても、リンク杆５の一端部（上部）は側板２の内面と天板３の側面との狭い隙間内にあり、収納ケース１６も側板２の内面と前記側枠体９ｂの外面との間に位置し、さらに、移動体４と共に前進動するリンク杆５の他端部及びカム体１５は収納ケース１６の幅内に位置し、しかも、それらの回動する部材（リンク杆５の他端部等）の外面側をカバー板部３０にて広く覆っているから、収納ケース１６が側面視で側板２の前縁より前方に突出したとしても、子供の指が前記リンク杆５の他端部等の回動部位と固定部位との間で挟まれるという虞もないのである。
【００３９】
このような状況は、天板３が水平姿勢、つまり収納ケース１６が最も前方に突出している状態から天板３を上向き回動し、移動体４ひいては収納ケース１６が後退動する動作時においても同じであり、リンク杆５の他端部及びカム体１５等回動部分が前記カバー板部３０にて広く覆われて保護されるのである。
【００４０】
本発明は、前述の実施形態に限らず、様々な態様に具体化できる。例えば、前記図示実施形態では、カバー板部３０を収納ケース１６と一体的に形成したが、別体のカバー板部３０を収納ケース１６の一方の広幅面にビス止めする等して固定しても良い。さらに、図５に示すように、収納ケース１６の凹所２６内における前記受け体２０の配置位置から離れた側に前記圧縮バネ２１ａの他端を支持する支持片４２を配置し、収納ケース１６の側面に螺合させた調節ボルト４３の先端にて前記凹所２６内の前記支持片を押して、前記圧縮バネ２１ａの付勢力の初期値を大小調節するように構成しても良い。その結果、天板３の下向き回動速度等の変更を簡単に行えるのである。
【００４１】
さらに、前記図示実施形態では、支軸２４は収納ケース１６に対して固定され、リンク杆５の他端部及びカム体１５は支軸２４の回りに相対的に回動可能に枢支されていたが、支軸２４にリンク杆５の他端部及びカム体１５を固着し、支軸２４が収納ケース１６に対して回転可能に構成しても良い。その場合、図９に示すように、収納ケース１６内において、リンク杆５の他端部とカム体１５とを支軸２４の軸線方向に離間させてそれぞれ支軸２４に固定するようにしても良い。本発明における支軸２４はリンク杆５の他端部及びカム体１５の回動中心としての機能を有するだけだからである。
【００４２】
また、カム体１５を収納ケース１６の幅内に配置し、リンク杆５の他端部は収納ケース１６の一方の外面側に配置するように構成しても良い。その場合も、前記カバー板部３０にてリンク杆５の他端部の広い回動範囲を移動体４の側面との間で覆うようにすることは勿論である。
【００４３】
さらに、他の変形例として、前記収納ケース１６内の圧縮バネ２１ａ及び受け体２０の移動方向が、移動体４の前後移動方向と非平行になるように配置できることは勿論である。
【００４４】
また、第２の実施形態として、図１０に示すように、収納ケース内に配置するリンク杆５の他端部及びカム体１５を支軸２４を介して移動体２４の側面に装着する。前記板状のカム体１５のカム面に当接する受け体として軸４５の周りに回動可能なレバー４４にて構成し、このレバー４４の他端を引張バネ４６または圧縮バネ、もしくは捩じりバネなどの付勢手段にて付勢して、前記カム体１５に押圧力を付与するように構成しても良い。この場合も前記レバー４４や付勢手段を収納ケース１６内に配置すると共にカバー板部にて回動する部品の回りを覆って保護することが好ましい。収納ケースを用いないで、リンク杆５の他端部及びカム体１５を支軸２４を介して移動体２４の側面に装着し、受け体及び付勢手段を装着する場合にも、前記カバー板部にて回動する部品の回りを覆って保護することが好ましい。
【００４５】
前記各実施形態におけるカム体１５及び受け体２０と付勢手段２１とを備えた収納ケース１６は、移動体４の左右いずれか一側にのみ配置しても差し支えないが、前述の各実施形態のように、天板３と移動体４との左右両側に配置することが、天板３の回動の左右バランスが取れて好ましい。さらに前記各実施形態において、リンク杆５の他端部にカム体１５を一体的に形成しても良い。
【００４６】
さらに、第３の実施形態として図１１に示すように、前記リンク杆５の他端部に一体的に回動する板カム状のカム体１５を備え、このカム体１５のカム面１５ａに付勢手段としての渦巻きバネ４７（もしくは図示しないが板ばね）の自由端側を常時押圧するように配置させても良い。この場合、リンク杆５の他端部とカム体１５と、これらを回動自在に支持する支軸２４と、前記渦巻きバネ４７とを収納ケース１６内に配置しておくことが好ましい。この実施形態によれば、上記各実施形態による効果に加えて、受け体を省略できて部品点数が少なくて済み、コストを低減できるという効果も奏する。
【００４７】
【発明の効果】
以上に詳述したように、請求項１の発明の机装置は、机本体に対して略垂直状態の閉止姿勢と略水平状態の開き姿勢となるように基端部周りに起伏回動可能に設けた天板と、この天板の下方で水平方向に前後動可能に設けた移動体とを備えた机装置において、前記天板の起伏回動に連動して前記移動体が前後動するように、一端部を前記天板の側面部に回動可能に枢支し、他端部を前記移動体の側面に回動可能に枢着したリンク杆を備え、前記リンク杆の他端部にはカム体を備える一方、前記移動体の側面には、前記カム体のカム面に当接して押圧する付勢手段を備えたものである。
【００４８】
従って、天板の下向き回動時と上向き回動時のいずれの動作時にも、リンク杆の他端部におけるカム体に付勢手段からの付勢力が常時付与されることになる。従って、天板の下向き回動時には、ゆっくりと水平姿勢にすることができる一方、天板が上向き回動する時には、軽い力で天板を持ち上げる補助力を付与することができるという効果を奏する。しかも、部品点数が少なくて済み、コストを低減できるという効果も奏する。
【００４９】
請求項２の発明の机装置は、机本体に対して略垂直状態の閉止姿勢と略水平状態の開き姿勢となるように基端部周りに起伏回動可能に設けた天板と、この天板の下方で水平方向に前後動可能に設けた移動体とを備えた机装置において、前記天板の起伏回動に連動して前記移動体が前後動するように、一端部を前記天板の側面部に回動可能に枢支し、他端部を前記移動体の側面に回動可能に枢着したリンク杆を備え、前記リンク杆の他端部にはカム体を備える一方、前記移動体の側面には、前記カム体のカム面に当接して移動可能な受け体と、前記カム体に受け体を弾力付勢するための付勢手段とを備えたものである。この構成により、天板の下向き回動時と上向き回動時のいずれの動作時にも、リンク杆の他端部におけるカム体に受け体を介して付勢手段からの付勢力が常時付与されることになる。従って、天板の下向き回動時には、ゆっくりと水平姿勢にすることができる一方、天板が上向き回動する時には、軽い力で天板を持ち上げる補助力を付与することができるという効果を奏する。
【００５０】
請求項３に記載の発明は、請求項２に記載の机装置において、前記受け体は、前記移動体の前後動方向に沿って移動可能に構成され、前記付勢手段は前記受け体を挟んでカム体を押圧するように配置されているものである。従って、請求項２に記載の発明による効果に加えて、カム体、受け体及び付勢手段を移動体の移動前後方向に一列状に配置できるので、これらの部品を机本体の側面と移動体の側面との狭い隙間にコンパクトに配置することができるという効果を奏する。
【００５１】
請求項４に記載の発明は、請求項１乃至３のいずれかに記載の机装置において、前記移動体の側面に収納ケースを固定し、該収納ケース内に前記受け体と付勢手段とを備え、収納ケースに配置した支軸に前記リンク杆の他端部とカム体とを回動可能に枢支させたものである。従って、請求項１乃至３のいずれかに記載の発明による効果に加えて、収納ケースにカム体、受け体及び付勢手段を纏めて収納でき、装置がコンパクトになるという効果を奏する。
【００５２】
請求項５に記載の発明は、請求項４に記載の机装置において、前記収納ケースの幅内に前記リンク杆の他端部及びカム体とを配置したものであるから、一層装置がコンパクトになる。また、リンク杆の他端部及びカム体の回動部分が収納ケースで保護できるという効果を奏する。
【００５３】
請求項６に記載の発明は、請求項４に記載した机装置において、前記カム体は収納ケースの幅内に配置され、前記リンク杆は前記収納ケースの一側外面に配置したものである。このように構成すれば、請求項４に記載の発明による効果に加えて、リンク杆のみを後付けすることができるという効果を奏する。
【００５４】
請求項７に記載の発明は、請求項４乃至６の何れかに記載した机装置において、前記収納ケースの広幅一側面にカバー板部を設け、前記リンク杆の他端部及びカム体の周囲を移動体の側面と前記カバー板部との間に位置させて覆うように構成したものであるから、リンク杆の他端部及びカム体の回動する広い範囲をカバー板部で覆って保護し、外部からの異物がつまったり、使用者の指をつめることがないという効果を奏する。
【図面の簡単な説明】
【図１】机装置の概略斜視図である。
【図２】第１実施形態における天板が起立姿勢状態を示す要部拡大側断面図である。
【図３】天板が水平姿勢状態を示す要部拡大側断面図である。
【図４】（ａ）はリンク杆及び収納ケースの側面図、（ｂ）は図４（ａ）のＩＶｂ  −ＩＶｂ  線矢視断面図である。
【図５】収納ケースの凹所が見える側の蓋板を外した状態の側面図である。
【図６】図１のＶＩ−ＶＩ線矢視一部切欠き拡大断面図である。
【図７】収納ケース及び蓋板の斜視図である。
【図８】（ａ）はカム体の一方の斜視図、（ｂ）は他方の斜視図である。
【図９】第１実施形態の変形例を示す断面図であ。
【図１０】第２実施形態の概略側面図である。
【図１１】第３実施形態の概略側面図である。
【符号の説明】
１    机本体
３    天板
４    移動体
５    リンク杆
９ａ  天枠体
９ｂ  側枠体
１１  抽斗
１５  カム体
１６  収納ケース
２０  受け体
２１ａ  付勢手段としての圧縮バネ
２２  取付け金具
２４  支軸
２６  凹所
３０  カバー板部
３５  当接部材
【図１】
2005000302.tif 000003
【図２】
2005000302.tif 000004
【図３】
2005000302.tif 000005
【図４】
2005000302.tif 000006
【図５】
2005000302.tif 000007
【図６】
2005000302.tif 000008
【図７】
2005000302.tif 000009
【図８】
2005000302.tif 000010
【図９】
2005000302.tif 000011
【図１０】
2005000302.tif 000012
【図１１】
2005000302.tif 000013